(57)【要約】【課題】電力帰還時に回路構成部品が破損することがなく、安定に電圧を供給できる。【解決手段】電源５と、電源５の電圧を所定の電圧まで昇圧し、昇圧した所定の電圧を負荷２０に印加するチョッパ式昇圧回路１００，１１０と、負荷２０の電圧を検出する電圧検出回路１５２とを備えた電源装置１であって、昇圧回路１０は、電源５と負荷２０とを接続する複数のチョッパ式昇圧回路１００，１１０を有し、電源５に負荷２０の電力を帰還し、電圧制御回路１５３は、昇圧回路１０の複数のチョッパ式昇圧回路１００，１１０を順次連続して周期的に駆動するように制御すると共に、電圧検出回路１５２によって検出された電圧が所定の電圧より高くなった場合に、昇圧回路１０を用いて電源５に負荷２０の電力を帰還するよう制御する。【選択図】        図１
2005328625.tif 000002
【特許請求の範囲】
【請求項１】
電源の電圧を所定の電圧まで昇圧し、昇圧した所定の電圧を負荷に印加するチョッパ式昇圧回路またはチャージポンプ回路と、前記負荷の電圧を検出する電圧検出手段とを備えた電源装置であって、
前記電源と前記負荷とを接続する複数の前記チョッパ式昇圧回路または複数の前記チャージポンプ回路を有する昇圧回路と、
前記電源に前記負荷の電力を帰還する電力帰還手段と、
前記昇圧回路の複数のチョッパ式昇圧回路または複数のチャージポンプ回路を順次連続して周期的に駆動するように制御すると共に、前記電圧検出手段によって検出された電圧が前記所定の電圧より高くなった場合に、前記電力帰還手段によって前記電源に前記負荷の電力を帰還するよう制御する電圧制御手段と、
を備えたことを特徴とする電源装置。
【請求項２】
前記チョッパ式昇圧回路は、一方の端子が前記電源に接続され前記電源の電圧が印加されるコイルと、該コイルを地絡または開放する昇圧スイッチとを有し、
前記電力帰還手段は、前記コイルの他方の端子に接続され、オン、オフする電力帰還スイッチを有し、
前記電圧制御手段は、前記電圧検出手段によって検出された電圧が前記所定の電圧より高くなった場合に、オンである前記昇圧スイッチをオフし、前記昇圧スイッチがオフであるチョッパ式昇圧回路に接続された電力帰還スイッチをオンすることを特徴とする請求項１に記載の電源装置。
【請求項３】
前記チョッパ式昇圧回路は、前記電源に接続されたスイッチと、一方の端子が該スイッチに接続され該スイッチを介して前記電源電圧が印加されるコイルと、該コイルを地絡または開放する昇圧スイッチとを有し、
前記電力帰還手段は、前記コイルの他方の端子に接続され、オン、オフする電力帰還スイッチを有し、
前記電圧制御手段は、前記電圧検出手段によって検出された電圧が前記所定の電圧より高くなった場合に、前記昇圧スイッチがオンであるチョッパ式昇圧回路のスイッチをオフし、前記昇圧スイッチがオフであるチョッパ式昇圧回路に接続された電力帰還スイッチをオンするように制御することを特徴とする請求項１に記載の電源装置。
【請求項４】
前記チョッパ式昇圧回路は、一方の端子が前記電源に接続され前記電源の電圧が印加されるコイルと、該コイルの他方の端子に接続されたスイッチと、該スイッチを介して該コイルを地絡または開放する昇圧スイッチとを有し、
前記電力帰還手段は、前記スイッチを介して前記コイルの他方の端子に接続され、オン、オフする電力帰還スイッチを有し、
前記電圧制御手段は、前記電圧検出手段によって検出された電圧が前記所定の電圧より高くなった場合に、前記昇圧スイッチがオンであるチョッパ式昇圧回路のスイッチをオフし、前記昇圧スイッチがオフであるチョッパ式昇圧回路に接続された電力帰還スイッチをオンするように制御することを特徴とする請求項１に記載の電源装置。
【請求項５】
前記チョッパ式昇圧回路は、前記電源に接続されたスイッチと、一方の端子が該スイッチに接続され該スイッチを介して前記電源電圧が印加されるコイルと、該コイルを地絡または開放する昇圧スイッチとを有し、
所定の前記チョッパ式昇圧回路は、一方の端子が前記電源に接続され前記電源の電圧が印加されるコイルと、該コイルを地絡または開放する昇圧スイッチとを有し、
前記昇圧回路は、前記所定のチョッパ式昇圧回路を含む複数の前記チョッパ式昇圧回路を有し、
前記電力帰還手段は、前記所定のチョッパ式昇圧回路のコイルの他方の端子に接続され、オン、オフする電力帰還スイッチを有し、
前記電圧制御手段は、前記電圧検出手段によって検出された電圧が前記所定の電圧より高くなった場合に、前記スイッチをオフし、前記電力帰還スイッチをオンするよう制御することを特徴とする請求項１に記載の電源装置。
【請求項６】
前記チョッパ式昇圧回路は、一方の端子が前記電源に接続され前記電源の電圧が印加されるコイルと、該コイルの他方の端子に接続されたスイッチと、該スイッチを介して該コイルを地絡または開放する昇圧スイッチとを有し、
所定の前記チョッパ式昇圧回路は、一方の端子が前記電源に接続され前記電源の電圧が印加されるコイルと、該コイルを地絡または開放する昇圧スイッチとを有し、
前記昇圧回路は、前記所定のチョッパ式昇圧回路を含む複数の前記チョッパ式昇圧回路を有し、
前記電力帰還手段は、前記所定のチョッパ式昇圧回路のコイルの他方の端子に接続され、オン、オフする電力帰還スイッチを有し、
前記電圧制御手段は、前記電圧検出手段によって検出された電圧が前記所定の電圧より高くなった場合に、前記スイッチをオフし、前記電力帰還スイッチをオンするよう制御することを特徴とする請求項１に記載の電源装置。
【請求項７】
前記電力帰還手段は、前記電源と前記負荷とに接続され、オン、オフする電力帰還スイッチを有し、
前記電圧制御手段は、前記電圧検出手段によって検出された電圧が前記所定の電圧より高くなった場合に、前記電力帰還スイッチをオンするよう制御することを特徴とする請求項１に記載の電源装置。
【請求項８】
前記チョッパ式昇圧回路は、一方の端子が該電源に接続され該電源の電圧が印加されるコイルと、該コイルを地絡または開放する昇圧スイッチとを有し、
前記昇圧回路は、複数の前記電源のそれぞれと前記負荷とに接続された複数の前記チョッパ式昇圧回路を有し、
前記電力帰還手段は、前記コイルの他方の端子に接続され、オン、オフする電力帰還スイッチを有し、
前記電圧制御手段は、前記電圧検出手段によって検出された電圧が前記所定の電圧より高くなった場合に、前記昇圧スイッチがオフであるチョッパ式昇圧回路に接続された電力帰還スイッチをオンするよう制御することを特徴とする請求項１に記載の電源装置。
【請求項９】
前記チョッパ式昇圧回路は、一方の端子が前記電源に接続され該電源の電圧が印加されるコイルと、該コイルを地絡または開放する昇圧スイッチとを有し、
前記昇圧回路は、前記電源と前記負荷とに接続された所定の前記チョッパ式昇圧回路と前記電源に接続されたスイッチと、該スイッチを介して前記電源と前記負荷とに接続された複数の前記チョッパ式昇圧回路とを有し、
前記電力帰還手段は、前記所定のチョッパ式昇圧回路の前記コイルの他方の端子に接続され、オン、オフする電力帰還スイッチを有し、
前記電圧制御手段は、前記電圧検出手段によって検出された電圧が前記所定の電圧より高くなった場合に、前記スイッチをオフし、前記電力帰還スイッチをオンするように制御することを特徴とする請求項１に記載の電源装置。
【請求項１０】
前記チャージポンプ回路は、一方の端子を前記電源と接続されたコンデンサと、該コンデンサの他方の端子を昇圧するチャージポンプ電源と、該コンデンサの他方の端子を該チャージポンプ電源に接続、または地絡する切替スイッチとを有し、
前記電力帰還手段は、前記電源と前記負荷とに接続され、オン、オフする電力帰還スイッチを有し、
前記電圧制御手段は、前記電圧検出手段によって検出された電圧が前記所定の電圧より高くなった場合に、前記電力帰還スイッチをオンするよう制御することを特徴とする請求項１に記載の電源装置。
【請求項１１】
前記チャージポンプ回路は、一方の端子を前記電源により印加されたコンデンサと、該コンデンサの他方の端子を昇圧するチャージポンプ電源と、該コンデンサの他方の端子を該チャージポンプ電源に接続、または地絡する切替スイッチとを有し、
前記電力帰還手段は、前記コンデンサの一方の端子と前記電源側とを接続し、オン、オフする電力帰還スイッチを有し、
前記電圧制御手段は、前記電圧検出手段によって検出された電圧が前記所定の電圧より高くなった場合に、前記電力帰還スイッチをオンするよう制御することを特徴とする請求項１に記載の電源装置。
【請求項１２】
前記電圧制御手段は、前記電圧検出手段によって検出された電圧が前記所定の電圧より高くなった場合に、全段の前記チャージポンプ回路のコンデンサの他方の端子を地絡させることを特徴とする請求項１０または１１に記載の電源装置。
【請求項１３】
前記電圧制御手段は、前記切替スイッチをＰＷＭ制御することを特徴とする請求項１０または１１に記載の電源装置。
【請求項１４】
前記電力帰還スイッチは、半導体スイッチ、または電磁式メカニカルスイッチとすることを特徴とする請求項２〜１１のいずれか一つに記載の電源装置。
【請求項１５】
前記スイッチは、半導体スイッチ、または電磁式メカニカルスイッチとすることを特徴とする請求項２〜１１のいずれか一つに記載の電源装置。
【請求項１６】
前記電圧制御手段は、前記電力帰還スイッチをＰＷＭ制御することを特徴とする請求項２〜１１のいずれか一つに記載の電源装置。
【請求項１７】
電源の電圧を所定の電圧まで昇圧し、昇圧した所定の電圧を負荷に印加するチョッパ式昇圧回路またはチャージポンプ回路を用いた昇圧工程と、前記負荷の電圧を検出する電圧検出工程とを含む電圧制御方法であって、
前記電源と前記負荷とを接続する複数の前記チョッパ式昇圧回路または複数の前記チャージポンプ回路を用いた昇圧工程と、
前記電源に前記負荷の電力を帰還する電力帰還工程と、
前記昇圧回路の複数のチョッパ式昇圧回路または複数のチャージポンプ回路を順次連続して周期的に駆動するように制御すると共に、前記電圧検出工程によって検出された電圧が前記所定の電圧より高くなった場合に、前記電力帰還工程によって前記電源に前記負荷の電力を帰還するよう制御する電圧制御工程と、
を含むことを特徴とする電圧制御方法。
【請求項１８】
電源の電圧を所定の電圧まで昇圧し、昇圧した所定の電圧を負荷に印加するチョッパ式昇圧回路またはチャージポンプ回路を用いた昇圧手順と、前記負荷の電圧を検出する電圧検出手順とをコンピュータに実行させる電圧制御プログラムであって、
前記電源と前記負荷とを接続する複数の前記チョッパ式昇圧回路または複数の前記チャージポンプ回路を用いた昇圧手順と、
前記電源に前記負荷の電力を帰還する電力帰還手順と、
前記昇圧回路の複数のチョッパ式昇圧回路または複数のチャージポンプ回路を順次連続して周期的に駆動するように制御すると共に、前記電圧検出手順によって検出された電圧が前記所定の電圧より高くなった場合に、前記電力帰還手順によって前記電源に前記負荷の電力を帰還するよう制御する電圧制御手順と、
をコンピュータに実行させることを特徴とする電圧制御プログラム。
【発明の詳細な説明】
【技術分野】
【０００１】
この発明は、電源装置、電圧制御方法および電圧制御プログラムに関し、特に電力帰還時に回路構成部品が破損することがなく、安定に電圧を供給できる電源装置、電圧制御方法および電圧制御プログラムに関するものである。
【背景技術】
【０００２】
従来、電源の電圧を所定の電圧まで昇圧し、昇圧した所定の電圧を負荷に印加するチョッパ式昇圧回路またはチャージポンプ回路と、負荷の電圧を検出する電圧検出手段と、を備える電源装置が知られている。係る電源装置は、電源から供給される電圧を所定の電圧Ｖ０に昇圧して負荷に印加するが、外的な要因により負荷に印加する電圧が設定電圧Ｖ０以上に上昇することがある。このように負荷に印加する電圧が上昇した場合に、電源に負荷の電力を帰還させる従来技術が開示されている。例えば、特許文献１では、単相のチョッパ式昇圧回路を用いた電源装置において負荷に印加した電圧が上昇した場合にｎ−ＭＯＳ型電界効果トランジスタ（以下においては、「ｎ−ＭＯＳ型ＦＥＴ」という。）のスイッチをオンして電源に電力を帰還させる従来技術が開示されている。
【０００３】
【特許文献１】特開２００３−８９３６０号公報
【発明の開示】
【発明が解決しようとする課題】
【０００４】
特許文献１の従来技術では、単相のチョッパ式昇圧回路を用いた電源装置において負荷に印加した電圧が上昇した場合にｎ−ＭＯＳ型ＦＥＴのスイッチをオンして電源に電力を帰還させることができるが、複数のチョッパ式昇圧回路からなる昇圧回路を用いた電源装置に適用することができなかった。ここで、図１８および図１９を参照して、複数のチョッパ式昇圧回路からなる昇圧回路を用いた電源装置１ｈにおいて電源に電力を帰還させる場合の課題について説明する。図１８は、複数のチョッパ式昇圧回路からなる昇圧回路を用いた電源装置１ｈの回路図である。また、図１９は、複数のチョッパ式昇圧回路からなる昇圧回路のｎ−ＭＯＳ型ＦＥＴのスイッチのタイミングチャートである。
【０００５】
図１８に示すように、電源装置１ｈは、電源５と、電源５の電圧を所定の電圧に昇圧し、昇圧した電圧を負荷２０に印加する昇圧回路１０ｈを有し、負荷２０に接続されている。このような電源装置１ｈにおいて負荷２０の電圧Ｖが所定の設定電圧Ｖ０を越えた場合には、電源５に負荷２０の電力を帰還させる必要がある。この場合、貫通電流を防止するために昇圧スイッチ１０２と１１２とが両方オフしているときに、電力帰還スイッチ１０４と１１４をオンする必要がある。しかし、昇圧スイッチ１０２と１１２とを５０％以上のデュ−ティで駆動している場合は、図１９に示すように昇圧スイッチ１０２か１１２のどちらかが常にオンしているので、図１８の破線に示すように貫通電流が流れる経路が必ずできる。この結果、ｎ−ＭＯＳ型ＦＥＴのスイッチ１１２などが破損し、安定に電圧を供給することができないという課題があった。
【０００６】
この発明は、上述した従来技術による問題点を解消するためになされたものであり、電力帰還時に回路構成部品が破損することがなく、安定に電圧を供給できる電源装置を提供することを目的とする。
【課題を解決するための手段】
【０００７】
上述した課題を解決し、目的を達成するため、請求項１の発明に係る電源装置は、電源の電圧を所定の電圧まで昇圧し、昇圧した所定の電圧を負荷に印加するチョッパ式昇圧回路またはチャージポンプ回路と、前記負荷の電圧を検出する電圧検出手段とを備えた電源装置であって、前記電源と前記負荷とを接続する複数の前記チョッパ式昇圧回路または複数の前記チャージポンプ回路を有する昇圧回路と、前記電源に前記負荷の電力を帰還する電力帰還手段と、前記昇圧回路の複数のチョッパ式昇圧回路または複数のチャージポンプ回路を順次連続して周期的に駆動するように制御すると共に、前記電圧検出手段によって検出された電圧が前記所定の電圧より高くなった場合に、前記電力帰還手段によって前記電源に前記負荷の電力を帰還するよう制御する電圧制御手段と、を備えたことを特徴とする。
【０００８】
この請求項１の発明によれば、電源と負荷とを接続する複数のチョッパ式昇圧回路または複数のチャージポンプ回路を有し、電源に負荷の電力を帰還し、複数のチョッパ式昇圧回路または複数のチャージポンプ回路を順次連続して周期的に駆動するように制御すると共に、検出された電圧が所定の電圧より高くなった場合に、電源に負荷の電力を帰還するよう制御することとしたので、電力帰還時に回路構成部品が破損することがなく、安定に電圧を供給できる。
【０００９】
また、請求項２の発明に係る電源装置は、請求項１の発明において、前記チョッパ式昇圧回路は、一方の端子が前記電源に接続され前記電源の電圧が印加されるコイルと、該コイルを地絡または開放する昇圧スイッチとを有し、前記電力帰還手段は、前記コイルの他方の端子に接続され、オン、オフする電力帰還スイッチを有し、前記電圧制御手段は、前記電圧検出手段によって検出された電圧が前記所定の電圧より高くなった場合に、オンである前記昇圧スイッチをオフし、前記昇圧スイッチがオフであるチョッパ式昇圧回路に接続された電力帰還スイッチをオンすることを特徴とする。
【００１０】
この請求項２の発明によれば、チョッパ式昇圧回路は、一方の端子が電源に接続され電源の電圧が印加されるコイルと、コイルを地絡または開放する昇圧スイッチとを有し、コイルの他方の端子に接続され、オン、オフする電力帰還スイッチを有し、検出された電圧が所定の電圧より高くなった場合に、オンである昇圧スイッチをオフし、昇圧スイッチがオフであるチョッパ式昇圧回路に接続された電力帰還スイッチをオンすることとしたので、回路構成部品に貫通電流が流れることがなく、もって電力帰還時に回路構成部品が破損することがなく、安定に電圧を供給できる。
【００１１】
また、請求項３の発明に係る電源装置は、請求項１の発明において、前記チョッパ式昇圧回路は、前記電源に接続されたスイッチと、一方の端子が該スイッチに接続され該スイッチを介して前記電源電圧が印加されるコイルと、該コイルを地絡または開放する昇圧スイッチとを有し、前記電力帰還手段は、前記コイルの他方の端子に接続され、オン、オフする電力帰還スイッチを有し、前記電圧制御手段は、前記電圧検出手段によって検出された電圧が前記所定の電圧より高くなった場合に、前記昇圧スイッチがオンであるチョッパ式昇圧回路のスイッチをオフし、前記昇圧スイッチがオフであるチョッパ式昇圧回路に接続された電力帰還スイッチをオンするように制御することを特徴とする。
【００１２】
この請求項３の発明によれば、チョッパ式昇圧回路は、電源に接続されたスイッチと、一方の端子がスイッチに接続されスイッチを介して電源電圧が印加されるコイルと、コイルを地絡または開放する昇圧スイッチとを有し、コイルの他方の端子に接続され、オン、オフする電力帰還スイッチを有し、検出された電圧が所定の電圧より高くなった場合に、昇圧スイッチがオンであるチョッパ式昇圧回路のスイッチをオフし、昇圧スイッチがオフであるチョッパ式昇圧回路に接続された電力帰還スイッチをオンするように制御することとしたので、回路構成部品に貫通電流が流れることがなく、もって電力帰還時に回路構成部品が破損することがなく、安定に電圧を供給できる。
【００１３】
また、請求項４の発明に係る電源装置は、請求項１の発明において、前記チョッパ式昇圧回路は、一方の端子が前記電源に接続され前記電源の電圧が印加されるコイルと、該コイルの他方の端子に接続されたスイッチと、該スイッチを介して該コイルを地絡または開放する昇圧スイッチとを有し、前記電力帰還手段は、前記スイッチを介して前記コイルの他方の端子に接続され、オン、オフする電力帰還スイッチを有し、前記電圧制御手段は、前記電圧検出手段によって検出された電圧が前記所定の電圧より高くなった場合に、前記昇圧スイッチがオンであるチョッパ式昇圧回路のスイッチをオフし、前記昇圧スイッチがオフであるチョッパ式昇圧回路に接続された電力帰還スイッチをオンするように制御することを特徴とする。
【００１４】
この請求項４の発明によれば、チョッパ式昇圧回路は、一方の端子が電源に接続され電源の電圧が印加されるコイルと、コイルの他方の端子に接続されたスイッチと、スイッチを介してコイルを地絡または開放する昇圧スイッチとを有し、スイッチを介してコイルの他方の端子に接続され、オン、オフする電力帰還スイッチを有し、検出された電圧が所定の電圧より高くなった場合に、昇圧スイッチがオンであるチョッパ式昇圧回路のスイッチをオフし、昇圧スイッチがオフであるチョッパ式昇圧回路に接続された電力帰還スイッチをオンするように制御することとしたので、回路構成部品に貫通電流が流れることがなく、もって電力帰還時に回路構成部品が破損することがなく、安定に電圧を供給できる。
【００１５】
また、請求項５の発明に係る電源装置は、請求項１の発明において、前記チョッパ式昇圧回路は、前記電源に接続されたスイッチと、一方の端子が該スイッチに接続され該スイッチを介して前記電源電圧が印加されるコイルと、該コイルを地絡または開放する昇圧スイッチとを有し、所定の前記チョッパ式昇圧回路は、一方の端子が前記電源に接続され前記電源の電圧が印加されるコイルと、該コイルを地絡または開放する昇圧スイッチとを有し、前記昇圧回路は、前記所定のチョッパ式昇圧回路を含む複数の前記チョッパ式昇圧回路を有し、前記電力帰還手段は、前記所定のチョッパ式昇圧回路のコイルの他方の端子に接続され、オン、オフする電力帰還スイッチを有し、前記電圧制御手段は、前記電圧検出手段によって検出された電圧が前記所定の電圧より高くなった場合に、前記スイッチをオフし、前記電力帰還スイッチをオンするよう制御することを特徴とする。
【００１６】
この請求項５の発明によれば、チョッパ式昇圧回路は、電源に接続されたスイッチと、一方の端子がスイッチに接続されスイッチを介して電源電圧が印加されるコイルと、コイルを地絡または開放する昇圧スイッチとを有し、所定のチョッパ式昇圧回路は、一方の端子が電源に接続され電源の電圧が印加されるコイルと、コイルを地絡または開放する昇圧スイッチとを有し、昇圧回路は、所定のチョッパ式昇圧回路を含む複数のチョッパ式昇圧回路を有し、所定のチョッパ式昇圧回路のコイルの他方の端子に接続され、オン、オフする電力帰還スイッチを有し、検出された電圧が所定の電圧より高くなった場合に、スイッチをオフし、電力帰還スイッチをオンするよう制御することとしたので、回路構成部品に貫通電流が流れることがなく、もって電力帰還時に回路構成部品が破損することがなく、安定に電圧を供給できる。
【００１７】
また、請求項６の発明に係る電源装置は、請求項１の発明において、前記チョッパ式昇圧回路は、一方の端子が前記電源に接続され前記電源の電圧が印加されるコイルと、該コイルの他方の端子に接続されたスイッチと、該スイッチを介して該コイルを地絡または開放する昇圧スイッチとを有し、所定の前記チョッパ式昇圧回路は、一方の端子が前記電源に接続され前記電源の電圧が印加されるコイルと、該コイルを地絡または開放する昇圧スイッチとを有し、前記昇圧回路は、前記所定のチョッパ式昇圧回路を含む複数の前記チョッパ式昇圧回路を有し、前記電力帰還手段は、前記所定のチョッパ式昇圧回路のコイルの他方の端子に接続され、オン、オフする電力帰還スイッチを有し、前記電圧制御手段は、前記電圧検出手段によって検出された電圧が前記所定の電圧より高くなった場合に、前記スイッチをオフし、前記電力帰還スイッチをオンするよう制御することを特徴とする。
【００１８】
この請求項６の発明によれば、チョッパ式昇圧回路は、一方の端子が電源に接続され電源の電圧が印加されるコイルと、コイルの他方の端子に接続されたスイッチと、スイッチを介してコイルを地絡または開放する昇圧スイッチとを有し、所定のチョッパ式昇圧回路は、一方の端子が前記電源に接続され前記電源の電圧が印加されるコイルと、該コイルを地絡または開放する昇圧スイッチとを有し、昇圧回路は、所定のチョッパ式昇圧回路を含む複数の前記チョッパ式昇圧回路を有し、所定のチョッパ式昇圧回路のコイルの他方の端子に接続され、オン、オフする電力帰還スイッチを有し、検出された電圧が所定の電圧より高くなった場合に、前記スイッチをオフし、電力帰還スイッチをオンするよう制御することとしたので、回路構成部品に貫通電流が流れることがなく、もって電力帰還時に回路構成部品が破損することがなく、安定に電圧を供給できる。
【００１９】
また、請求項７の発明に係る電源装置は、請求項１の発明において、前記電力帰還手段は、前記電源と前記負荷とに接続され、オン、オフする電力帰還スイッチを有し、前記電圧制御手段は、前記電圧検出手段によって検出された電圧が前記所定の電圧より高くなった場合に、前記電力帰還スイッチをオンするよう制御することを特徴とする。
【００２０】
この請求項７の発明によれば、電源と負荷とに接続され、オン、オフする電力帰還スイッチを有し、検出された電圧が所定の電圧より高くなった場合に、電力帰還スイッチをオンするよう制御することとしたので、回路構成部品に貫通電流が流れることがなく、もって電力帰還時に回路構成部品が破損することがなく、安定に電圧を供給できる。
【００２１】
また、請求項８の発明に係る電源装置は、請求項１の発明において、前記チョッパ式昇圧回路は、一方の端子が該電源に接続され該電源の電圧が印加されるコイルと、該コイルを地絡または開放する昇圧スイッチとを有し、前記昇圧回路は、複数の前記電源のそれぞれと前記負荷とに接続された複数の前記チョッパ式昇圧回路を有し、前記電力帰還手段は、前記コイルの他方の端子に接続され、オン、オフする電力帰還スイッチを有し、前記電圧制御手段は、前記電圧検出手段によって検出された電圧が前記所定の電圧より高くなった場合に、前記昇圧スイッチがオフであるチョッパ式昇圧回路に接続された電力帰還スイッチをオンするよう制御することを特徴とする。
【００２２】
この請求項８の発明によれば、チョッパ式昇圧回路は、一方の端子が電源に接続され電源の電圧が印加されるコイルと、コイルを地絡または開放する昇圧スイッチとを有し、昇圧回路は、複数の電源のそれぞれと負荷とに接続された複数のチョッパ式昇圧回路を有し、コイルの他方の端子に接続され、オン、オフする電力帰還スイッチを有し、検出された電圧が所定の電圧より高くなった場合に、昇圧スイッチがオフであるチョッパ式昇圧回路に接続された電力帰還スイッチをオンするよう制御することとしたので、回路構成部品に貫通電流が流れることがなく、もって電力帰還時に回路構成部品が破損することがなく、安定に電圧を供給できる。
【００２３】
また、請求項９の発明に係る電源装置は、請求項１の発明において、前記チョッパ式昇圧回路は、一方の端子が前記電源に接続され該電源の電圧が印加されるコイルと、該コイルを地絡または開放する昇圧スイッチとを有し、前記昇圧回路は、前記電源と前記負荷とに接続された所定の前記チョッパ式昇圧回路と前記電源に接続されたスイッチと、該スイッチを介して前記電源と前記負荷とに接続された複数の前記チョッパ式昇圧回路とを有し、前記電力帰還手段は、前記所定のチョッパ式昇圧回路の前記コイルの他方の端子に接続され、オン、オフする電力帰還スイッチを有し、前記電圧制御手段は、前記電圧検出手段によって検出された電圧が前記所定の電圧より高くなった場合に、前記スイッチをオフし、前記電力帰還スイッチをオンするように制御することを特徴とする。
【００２４】
この請求項９の発明によれば、チョッパ式昇圧回路は、一方の端子が電源に接続され電源の電圧が印加されるコイルと、コイルを地絡または開放する昇圧スイッチとを有し、昇圧回路は、電源と負荷とに接続された所定のチョッパ式昇圧回路と電源に接続されたスイッチと、スイッチを介して電源と負荷とに接続された複数のチョッパ式昇圧回路とを有し、所定のチョッパ式昇圧回路のコイルの他方の端子に接続され、オン、オフする電力帰還スイッチを有し、検出された電圧が所定の電圧より高くなった場合に、スイッチをオフし、電力帰還スイッチをオンするように制御することとしたので、回路構成部品に貫通電流が流れることがなく、もって電力帰還時に回路構成部品が破損することがなく、安定に電圧を供給できる。
【００２５】
また、請求項１０の発明に係る電源装置は、請求項１の発明において、前記チャージポンプ回路は、一方の端子を前記電源と接続されたコンデンサと、該コンデンサの他方の端子を昇圧するチャージポンプ電源と、該コンデンサの他方の端子を該チャージポンプ電源に接続、または地絡する切替スイッチとを有し、前記電力帰還手段は、前記電源と前記負荷とに接続され、オン、オフする電力帰還スイッチを有し、前記電圧制御手段は、前記電圧検出手段によって検出された電圧が前記所定の電圧より高くなった場合に、前記電力帰還スイッチをオンするよう制御することを特徴とする。
【００２６】
この請求項１０の発明によれば、チャージポンプ回路は、一方の端子を電源と接続されたコンデンサと、コンデンサの他方の端子を昇圧するチャージポンプ電源と、コンデンサの他方の端子をチャージポンプ電源に接続、または地絡する切替スイッチとを有し、電源と負荷とに接続され、オン、オフする電力帰還スイッチを有し、検出された電圧が所定の電圧より高くなった場合に、電力帰還スイッチをオンするよう制御することとしたので、平滑用コンデンサが過電圧破壊を起こすことなく、もって電力帰還時に回路構成部品が破損することがなく、安定に電圧を供給できる。
【００２７】
また、請求項１１の発明に係る電源装置は、請求項１の発明において、前記チャージポンプ回路は、一方の端子を前記電源により印加されたコンデンサと、該コンデンサの他方の端子を昇圧するチャージポンプ電源と、該コンデンサの他方の端子を該チャージポンプ電源に接続、または地絡する切替スイッチとを有し、前記電力帰還手段は、前記コンデンサの一方の端子と前記電源側とを接続し、オン、オフする電力帰還スイッチを有し、前記電圧制御手段は、前記電圧検出手段によって検出された電圧が前記所定の電圧より高くなった場合に、前記電力帰還スイッチをオンするよう制御することを特徴とする。
【００２８】
この請求項１１の発明によれば、チャージポンプ回路は、一方の端子を電源により印加されたコンデンサと、コンデンサの他方の端子を昇圧するチャージポンプ電源と、コンデンサの他方の端子をチャージポンプ電源に接続、または地絡する切替スイッチとを有し、コンデンサの一方の端子と電源側とを接続し、オン、オフする電力帰還スイッチを有し、検出された電圧が所定の電圧より高くなった場合に、電力帰還スイッチをオンするよう制御することとしたので、平滑用コンデンサが過電圧破壊を起こすことなく、もって電力帰還時に回路構成部品が破損することがなく、安定に電圧を供給できる。
【００２９】
また、請求項１２の発明に係る電源装置は、請求項１０または１１の発明において、前記電圧制御手段は、前記電圧検出手段によって検出された電圧が前記所定の電圧より高くなった場合に、全段の前記チャージポンプ回路のコンデンサの他方の端子を地絡させることを特徴とする。
【００３０】
この請求項１２の発明によれば、検出された電圧が所定の電圧より高くなった場合に、全段のチャージポンプ回路のコンデンサの他方の端子を地絡させることとしたので、平滑用コンデンサの電圧を下げることができ、もって電力帰還時に回路構成部品が破損することがなく、安定に電圧を供給できる。
【００３１】
また、請求項１３の発明に係る電源装置は、請求項１０または１１の発明において、前記電圧制御手段は、前記切替スイッチをＰＷＭ制御することを特徴とする。
【００３２】
この請求項１３の発明によれば、切替スイッチをＰＷＭ制御することとしたので、徐々に負荷の電力を帰還させるよう制御し、半導体スイッチ、ハーネス等の負荷を軽減することができる。
【００３３】
また、請求項１４の発明に係る電源装置は、請求項２〜１１の発明において、前記電力帰還スイッチは、半導体スイッチ、または電磁式メカニカルスイッチとすることを特徴とする。
【００３４】
この請求項１４の発明によれば、半導体スイッチ、または電磁式メカニカルスイッチとすることとしたので、電源装置を構成する場合の部品を容易に選択できる。
【００３５】
また、請求項１５の発明に係る電源装置は、請求項２〜１１の発明において、前記スイッチは、半導体スイッチ、または電磁式メカニカルスイッチとすることを特徴とする。
【００３６】
この請求項１５の発明によれば、半導体スイッチ、または電磁式メカニカルスイッチとすることとしたので、電源装置を構成する場合の部品を容易に選択できる。
【００３７】
また、請求項１６の発明に係る電源装置は、請求項２〜１１の発明において、前記電圧制御手段は、前記電力帰還スイッチをＰＷＭ制御することを特徴とする。
【００３８】
この請求項１６の発明によれば、電力帰還スイッチをＰＷＭ制御することとしたので、徐々に負荷の電力を帰還させるよう制御し、半導体スイッチ、ハーネス等の負荷を軽減することができる。
【００３９】
また、請求項１７の発明に係る電圧制御方法は、電源の電圧を所定の電圧まで昇圧し、昇圧した所定の電圧を負荷に印加するチョッパ式昇圧回路またはチャージポンプ回路を用いた昇圧工程と、前記負荷の電圧を検出する電圧検出工程とを含む電圧制御方法であって、前記電源と前記負荷とを接続する複数の前記チョッパ式昇圧回路または複数の前記チャージポンプ回路を用いた昇圧工程と、前記電源に前記負荷の電力を帰還する電力帰還工程と、前記昇圧回路の複数のチョッパ式昇圧回路または複数のチャージポンプ回路を順次連続して周期的に駆動するように制御すると共に、前記電圧検出工程によって検出された電圧が前記所定の電圧より高くなった場合に、前記電力帰還工程によって前記電源に前記負荷の電力を帰還するよう制御する電圧制御工程と、を含むことを特徴とする。
【００４０】
この請求項１７の発明によれば、電源と負荷とを接続する複数のチョッパ式昇圧回路または複数のチャージポンプ回路を用い、電源に負荷の電力を帰還し、昇圧回路の複数のチョッパ式昇圧回路または複数のチャージポンプ回路を順次連続して周期的に駆動するように制御すると共に、検出された電圧が所定の電圧より高くなった場合に、電源に負荷の電力を帰還するよう制御することとしたので、電力帰還時に回路構成部品が破損することがなく、安定に電圧を供給できる。
【００４１】
また、請求項１８の発明に係る電圧制御プログラムは、電源の電圧を所定の電圧まで昇圧し、昇圧した所定の電圧を負荷に印加するチョッパ式昇圧回路またはチャージポンプ回路を用いた昇圧手順と、前記負荷の電圧を検出する電圧検出手順とをコンピュータに実行させる電圧制御プログラムであって、前記電源と前記負荷とを接続する複数の前記チョッパ式昇圧回路または複数の前記チャージポンプ回路を用いた昇圧手順と、前記電源に前記負荷の電力を帰還する電力帰還手順と、前記昇圧回路の複数のチョッパ式昇圧回路または複数のチャージポンプ回路を順次連続して周期的に駆動するように制御すると共に、前記電圧検出手順によって検出された電圧が前記所定の電圧より高くなった場合に、前記電力帰還手順によって前記電源に前記負荷の電力を帰還するよう制御する電圧制御手順と、をコンピュータに実行させることを特徴とする。
【００４２】
この請求項１８の発明によれば、電源と負荷とを接続する複数のチョッパ式昇圧回路または複数のチャージポンプ回路を用い、電源に負荷の電力を帰還し、昇圧回路の複数のチョッパ式昇圧回路または複数のチャージポンプ回路を順次連続して周期的に駆動するように制御すると共に、検出された電圧が所定の電圧より高くなった場合に、電源に負荷の電力を帰還するよう制御することとしたので、電力帰還時に回路構成部品が破損することがなく、安定に電圧を供給できる。
【発明の効果】
【００４３】
請求項１の発明によれば、電源と負荷とを接続する複数のチョッパ式昇圧回路または複数のチャージポンプ回路を有し、電源に負荷の電力を帰還し、複数のチョッパ式昇圧回路または複数のチャージポンプ回路を順次連続して周期的に駆動するように制御すると共に、検出された電圧が所定の電圧より高くなった場合に、電源に負荷の電力を帰還するよう制御するよう構成したので、電力帰還時に回路構成部品が破損することがなく、安定に電圧を供給できるという効果を奏する。
【００４４】
請求項２の発明によれば、チョッパ式昇圧回路は、一方の端子が電源に接続され電源の電圧が印加されるコイルと、コイルを地絡または開放する昇圧スイッチとを有し、コイルの他方の端子に接続され、オン、オフする電力帰還スイッチを有し、検出された電圧が所定の電圧より高くなった場合に、オンである昇圧スイッチをオフし、昇圧スイッチがオフであるチョッパ式昇圧回路に接続された電力帰還スイッチをオンするよう構成したので、回路構成部品に貫通電流が流れることがなく、もって電力帰還時に回路構成部品が破損することがなく、安定に電圧を供給できるという効果を奏する。
【００４５】
請求項３の発明によれば、チョッパ式昇圧回路は、電源に接続されたスイッチと、一方の端子がスイッチに接続されスイッチを介して電源電圧が印加されるコイルと、コイルを地絡または開放する昇圧スイッチとを有し、コイルの他方の端子に接続され、オン、オフする電力帰還スイッチを有し、検出された電圧が所定の電圧より高くなった場合に、昇圧スイッチがオンであるチョッパ式昇圧回路のスイッチをオフし、昇圧スイッチがオフであるチョッパ式昇圧回路に接続された電力帰還スイッチをオンするように制御するよう構成したので、回路構成部品に貫通電流が流れることがなく、もって電力帰還時に回路構成部品が破損することがなく、安定に電圧を供給できるという効果を奏する。
【００４６】
請求項４の発明によれば、チョッパ式昇圧回路は、一方の端子が電源に接続され電源の電圧が印加されるコイルと、コイルの他方の端子に接続されたスイッチと、スイッチを介してコイルを地絡または開放する昇圧スイッチとを有し、スイッチを介してコイルの他方の端子に接続され、オン、オフする電力帰還スイッチを有し、検出された電圧が所定の電圧より高くなった場合に、昇圧スイッチがオンであるチョッパ式昇圧回路のスイッチをオフし、昇圧スイッチがオフであるチョッパ式昇圧回路に接続された電力帰還スイッチをオンするように制御するよう構成したので、回路構成部品に貫通電流が流れることがなく、もって電力帰還時に回路構成部品が破損することがなく、安定に電圧を供給できるという効果を奏する。
【００４７】
請求項５の発明によれば、チョッパ式昇圧回路は、電源に接続されたスイッチと、一方の端子がスイッチに接続されスイッチを介して電源電圧が印加されるコイルと、コイルを地絡または開放する昇圧スイッチとを有し、所定のチョッパ式昇圧回路は、一方の端子が電源に接続され電源の電圧が印加されるコイルと、コイルを地絡または開放する昇圧スイッチとを有し、昇圧回路は、所定のチョッパ式昇圧回路を含む複数のチョッパ式昇圧回路を有し、所定のチョッパ式昇圧回路のコイルの他方の端子に接続され、オン、オフする電力帰還スイッチを有し、検出された電圧が所定の電圧より高くなった場合に、スイッチをオフし、電力帰還スイッチをオンするよう制御するよう構成したので、回路構成部品に貫通電流が流れることがなく、もって電力帰還時に回路構成部品が破損することがなく、安定に電圧を供給できるという効果を奏する。
【００４８】
請求項６の発明によれば、チョッパ式昇圧回路は、一方の端子が電源に接続され電源の電圧が印加されるコイルと、コイルの他方の端子に接続されたスイッチと、スイッチを介してコイルを地絡または開放する昇圧スイッチとを有し、所定のチョッパ式昇圧回路は、一方の端子が前記電源に接続され前記電源の電圧が印加されるコイルと、該コイルを地絡または開放する昇圧スイッチとを有し、昇圧回路は、所定のチョッパ式昇圧回路を含む複数の前記チョッパ式昇圧回路を有し、所定のチョッパ式昇圧回路のコイルの他方の端子に接続され、オン、オフする電力帰還スイッチを有し、検出された電圧が所定の電圧より高くなった場合に、前記スイッチをオフし、電力帰還スイッチをオンするよう制御するよう構成したので、回路構成部品に貫通電流が流れることがなく、もって電力帰還時に回路構成部品が破損することがなく、安定に電圧を供給できるという効果を奏する。
【００４９】
請求項７の発明によれば、電源と負荷とに接続され、オン、オフする電力帰還スイッチを有し、検出された電圧が所定の電圧より高くなった場合に、電力帰還スイッチをオンするよう制御するよう構成したので、回路構成部品に貫通電流が流れることがなく、もって電力帰還時に回路構成部品が破損することがなく、安定に電圧を供給できるという効果を奏する。
【００５０】
請求項８の発明によれば、チョッパ式昇圧回路は、一方の端子が電源に接続され電源の電圧が印加されるコイルと、コイルを地絡または開放する昇圧スイッチとを有し、昇圧回路は、複数の電源のそれぞれと負荷とに接続された複数のチョッパ式昇圧回路を有し、コイルの他方の端子に接続され、オン、オフする電力帰還スイッチを有し、検出された電圧が所定の電圧より高くなった場合に、昇圧スイッチがオフであるチョッパ式昇圧回路に接続された電力帰還スイッチをオンするよう制御するよう構成したので、回路構成部品に貫通電流が流れることがなく、もって電力帰還時に回路構成部品が破損することがなく、安定に電圧を供給できるという効果を奏する。
【００５１】
請求項９の発明によれば、チョッパ式昇圧回路は、一方の端子が電源に接続され電源の電圧が印加されるコイルと、コイルを地絡または開放する昇圧スイッチとを有し、昇圧回路は、電源と負荷とに接続された所定のチョッパ式昇圧回路と電源に接続されたスイッチと、スイッチを介して電源と負荷とに接続された複数のチョッパ式昇圧回路とを有し、所定のチョッパ式昇圧回路のコイルの他方の端子に接続され、オン、オフする電力帰還スイッチを有し、検出された電圧が所定の電圧より高くなった場合に、スイッチをオフし、電力帰還スイッチをオンするように制御するよう構成したので、回路構成部品に貫通電流が流れることがなく、もって電力帰還時に回路構成部品が破損することがなく、安定に電圧を供給できるという効果を奏する。
【００５２】
請求項１０の発明によれば、チャージポンプ回路は、一方の端子を電源と接続されたコンデンサと、コンデンサの他方の端子を昇圧するチャージポンプ電源と、コンデンサの他方の端子をチャージポンプ電源に接続、または地絡する切替スイッチとを有し、電源と負荷とに接続され、オン、オフする電力帰還スイッチを有し、検出された電圧が所定の電圧より高くなった場合に、電力帰還スイッチをオンするよう制御するよう構成したので、平滑用コンデンサが過電圧破壊を起こすことなく、もって電力帰還時に回路構成部品が破損することがなく、安定に電圧を供給できるという効果を奏する。
【００５３】
請求項１１の発明によれば、チャージポンプ回路は、一方の端子を電源により印加されたコンデンサと、コンデンサの他方の端子を昇圧するチャージポンプ電源と、コンデンサの他方の端子をチャージポンプ電源に接続、または地絡する切替スイッチとを有し、コンデンサの一方の端子と電源側とを接続し、オン、オフする電力帰還スイッチを有し、検出された電圧が所定の電圧より高くなった場合に、電力帰還スイッチをオンするよう制御するよう構成したので、平滑用コンデンサが過電圧破壊を起こすことなく、もって電力帰還時に回路構成部品が破損することがなく、安定に電圧を供給できるという効果を奏する。
【００５４】
請求項１２の発明によれば、検出された電圧が所定の電圧より高くなった場合に、全段のチャージポンプ回路のコンデンサの他方の端子を地絡させるよう構成したので、平滑用コンデンサの電圧を下げることができ、もって電力帰還時に回路構成部品が破損することがなく、安定に電圧を供給できるという効果を奏する。
【００５５】
請求項１３の発明によれば、切替スイッチをＰＷＭ制御するよう構成したので、徐々に負荷の電力を帰還させるよう制御し、半導体スイッチ、ハーネス等の負荷を軽減することができるという効果を奏する。
【００５６】
請求項１４の発明によれば、半導体スイッチ、または電磁式メカニカルスイッチとするよう構成したので、電源装置を構成する場合の部品を容易に選択できるという効果を奏する。
【００５７】
請求項１５の発明によれば、半導体スイッチ、または電磁式メカニカルスイッチとするよう構成したので、電源装置を構成する場合の部品を容易に選択できるという効果を奏する。
【００５８】
請求項１６の発明によれば、電力帰還スイッチをＰＷＭ制御するよう構成したので、半導体スイッチ、ハーネス等の負荷を軽減することができるという効果を奏する。
【００５９】
請求項１７の発明によれば、電源と負荷とを接続する複数のチョッパ式昇圧回路または複数のチャージポンプ回路を用い、電源に負荷の電力を帰還し、昇圧回路の複数のチョッパ式昇圧回路または複数のチャージポンプ回路を順次連続して周期的に駆動するように制御すると共に、検出された電圧が所定の電圧より高くなった場合に、電源に負荷の電力を帰還するよう制御するよう構成したので、電力帰還時に回路構成部品が破損することがなく、安定に電圧を供給できるという効果を奏する。
【００６０】
請求項１８の発明によれば、電源と負荷とを接続する複数のチョッパ式昇圧回路または複数のチャージポンプ回路を用い、電源に負荷の電力を帰還し、昇圧回路の複数のチョッパ式昇圧回路または複数のチャージポンプ回路を順次連続して周期的に駆動するように制御すると共に、検出された電圧が所定の電圧より高くなった場合に、電源に負荷の電力を帰還するよう制御するよう構成したので、電力帰還時に回路構成部品が破損することがなく、安定に電圧を供給できるという効果を奏する。
【発明を実施するための最良の形態】
【００６１】
以下に添付図面を参照して、この発明に係る電源装置の好適な実施の形態を詳細に説明する。ここでは、電力帰還時に回路構成部品が破損することがなく、安定に電圧を供給できる電源装置の例として実施例１〜実施例８について説明する。
・  実施例１は、複数のチョッパ式昇圧回路を電力帰還回路とし、電力帰還時の間だけ全てのチョッパ式昇圧回路の昇圧スイッチをオフして貫通電流の経路を遮断する場合について説明する。
・  実施例２は、複数のチョッパ式昇圧回路を電力帰還回路とし、スイッチにより貫通電流の経路を遮断する場合について説明する。
・  実施例３は、所定のチョッパ式昇圧回路を電力帰還回路とし、スイッチにより貫通電流の経路を遮断する場合について説明する。
・  実施例４は、複数のチョッパ式昇圧回路とは別に電力帰還回路を設ける場合について説明する。
・  実施例５は、複数のチョッパ式昇圧回路をそれぞれ別な電源で駆動する場合について説明する。
・  実施例６は、所定のチョッパ式昇圧回路を電力帰還回路とし、１つのスイッチにより貫通電流の経路をまとめて遮断する場合について説明する。
・  実施例７は、複数のチャージポンプ回路とは別に電力帰還回路を設ける場合について説明する。
・  実施例８は、複数のチャージポンプ回路を電力帰還回路とする場合について説明する。
【実施例１】
【００６２】
本実施例１では、複数のチョッパ式昇圧回路を電力帰還回路とし、電力帰還時の間だけ全てのチョッパ式昇圧回路の昇圧スイッチをオフして貫通電流の経路を遮断する場合について説明する。ここでは、（１−１）電源装置の概要と主要な特徴、（１−２）電源装置の構成、（１−３）電源装置の電力帰還手順の順番で説明する。
【００６３】
（１−１）電源装置の概要と主要な特徴
まず、図１を参照して、電源装置１の概要と主要な特徴について説明する。図１は、実施例１に係る電源装置１の構成を示す回路図である。電源装置１は、概略的には、電源５と、電源５の電圧Ｖを所定の電圧Ｖ０まで昇圧し、昇圧した所定の電圧Ｖ０を負荷２０に印加するチョッパ式昇圧回路１００，１１０と、負荷２０の電圧を検出する電圧検出回路１５２と、を備える電源装置１であり、電力帰還時に回路構成部品が破損することがなく、安定に電圧を供給できることを特徴とする。
【００６４】
図１を参照して説明すると、昇圧回路１０は、電源５と負荷２０を接続する複数のチョッパ式昇圧回路１００、１１０を有し、複数のチョッパ式昇圧回路１００，１１０を介して電源５に負荷２０の電力を帰還し、電圧制御回路１５３は、昇圧回路１０の複数のチョッパ式昇圧回路１００、１１０を順次連続して周期的に駆動するように制御すると共に、電圧検出回路１５２によって検出された電圧が所定の電圧より高くなった場合に、昇圧回路１０を用いて電源５に負荷２０の電力を帰還するよう制御することとしたので、電力帰還時に回路構成部品が破損することがなく、安定に電圧を供給できる。
【００６５】
（１−２）電源装置の構成
次に、図１を参照して、本実施例１の電源装置１の構成について説明する。同図に示すように、電源装置１は、電源５、昇圧回路１０、電圧制御回路１５を有する。また、電源装置１は、負荷２０に電気的に接続されている。
【００６６】
電源５は、昇圧回路１０によって昇圧される前の直流電源である。また、昇圧回路１０は、電源５の電圧Ｖを所定の電圧Ｖ０まで昇圧し、昇圧した所定の電圧Ｖ０を負荷２０に印加する複数のチョッパ式昇圧回路１００、１１０、コデンサ１２０を有する。チョッパ式昇圧回路１００は、コイル１０１、昇圧スイッチ１０２、電力帰還スイッチ１０４、ダイオード１０３、１０５を有する。また、チョッパ式昇圧回路１１０は、コイル１１１、昇圧スイッチ１１２、電力帰還スイッチ１１４、ダイオード１１３、１１５を有する。
【００６７】
コイル１０１、１１１は、励磁用コイルであり、昇圧スイッチ１０２、１１２がオンのときにエネルギーが蓄積され、昇圧スイッチ１０２、１１２がオフのときにコイル１０１、１１１の磁束の変化によってコイル１０１、１１１に蓄積されたエネルギーが負荷２０に放出される。また、昇圧スイッチ１０２、１１２は、ｎ−ＭＯＳ型ＦＥＴの半導体スイッチである。また、電力帰還用スイッチ１０４、１１４は、電源５に負荷２０の電力を帰還するスイッチであり、ｎ−ＭＯＳ型ＦＥＴの半導体スイッチである。また、ダイオード１０３、１０５、１１３、１１５は、整流ダイオードである。また、コンデンサ１２０は、平滑用コンデンサであり、昇圧された電圧を平滑化して負荷２０に供給する。なお、電力帰還スイッチ１０４、１１４は、昇圧回路１０の構成回路として説明したが、これは電力帰還スイッチ１０４、１１４に寄生ダイオード１０５、１１５が存在し、昇圧回路１０は、このダイオードを利用しているからである。また、本実施例１では、昇圧回路１０は、複数のチョッパ式昇圧回路１００、１１０を介して電源５に負荷２０の電力を帰還する電力帰還回路として機能しているので、電力帰還スイッチ１０４、１１４を昇圧回路１０に含めている。
【００６８】
駆動回路１５は、昇圧回路１０を駆動制御する回路であり、電圧検出回路１５２、電圧制御回路１５３を有する。電圧検出回路１５２は、負荷２０の電圧Ｖを検出する回路である。また、電圧制御回路１５３は、昇圧回路１０の複数のチョッパ式昇圧回路１００、１１０を順次連続して周期的に駆動するように制御すると共に、電圧検出回路１５２によって検出された電圧Ｖが所定の電圧Ｖ０より高くなった場合に、昇圧回路１０を用いて電源５に負荷２０の電力を帰還させるよう制御する制御回路である。
【００６９】
次に、図２を参照して、図１に示す電源装置１の昇圧スイッチ１０２、１１２および電力帰還スイッチ１０４、１１４の動作について説明する。図２は、図１に示す電源装置１の昇圧スイッチ１０２、１１２および電力帰還スイッチ１０４、１１４の動作を示すタイミングチャートである。
【００７０】
同図に示すように、昇圧スイッチ１０２と１１２は、５０％のオンデューティで、位相が１８０度相違するオン／オフサイクルを繰り返している。昇圧スイッチ１０２または１１２がオンのとき、コイル１０１または１１１が励磁され、昇圧スイッチ１０２または１１２がオフのとき、励磁されたコイル１０１または１１１から負荷２０にエネルギーが供給され、負荷２０には昇圧された電圧が印加される。なお、昇圧スイッチ１０２と１１２は、互いに５０％以上または５０％以下のオンデューティで駆動することがある。
【００７１】
本実施例１では、電圧制御回路１５３は、電圧検出回路１５２によって検出された電圧Ｖと所定の設定電圧Ｖ０を比較して、電圧Ｖが所定の設定電圧Ｖ０を超えている場合は、電力帰還スイッチ１０４または１１４をオンして、複数のチョッパ式昇圧回路１００または１１０を介して電源５に負荷２０の電力を帰還する。このとき、電圧制御回路１５３は、図２に示すように、全ての昇圧スイッチ１０２および１１２をオフして電力帰還回路として用いられているチョッパ式昇圧回路以外のチョッパ式昇圧回路に貫通電流が流れないように制御する。
【００７２】
（１−３）電源装置の電力帰還手順
次に、図３を参照して、図１に示す電源装置１の電力帰還手順について説明する。図３は、図１に示す電源装置１の電力帰還手順を示すフローチャートである。
【００７３】
同図に示すように、電源装置１を起動すると、電圧検出回路１５２は、負荷２０の電圧Ｖを検出する（ステップＳ３０１）。そして、電圧制御回路１５３は、負荷２０の電圧Ｖが設定電圧Ｖ０を越えているか否かを調べる（ステップＳ３０２）。その結果、負荷２０の電圧Ｖが設定電圧Ｖ０を越えていない場合は（ステップＳ３０２否定）、電圧制御回路１５３は、ステップＳ３０１に戻り、負荷２０の電圧Ｖを検出する。一方、負荷２０の電圧Ｖが設定電圧Ｖ０を越えている場合は（ステップＳ３０２肯定）、電圧制御回路１５３は、昇圧スイッチ１０２がオフか否かを調べる（ステップＳ３０３）。その結果、昇圧スイッチ１０２がオフでない場合は（ステップＳ３０３否定）、電圧制御回路１５３は、昇圧スイッチ１０２をオフする（ステップＳ３０４）。一方、昇圧スイッチ１０２がオフである場合は（ステップＳ３０３肯定）、電圧制御回路１５３は、昇圧スイッチ１１２をオフする（ステップＳ３０５）。
【００７４】
そして電圧制御回路１５３は、電力帰還スイッチ１０４、１１４をオンする（ステップＳ３０６）。その間、電圧検出回路１５２は、負荷２０の電圧Ｖを検出している（ステップＳ３０７）。そして、電圧制御回路１５３は、負荷２０の電圧Ｖが設定電圧Ｖ０以下であるか否かを調べる（ステップＳ３０８）。その結果、負荷２０の電圧Ｖが設定電圧Ｖ０以下でない場合は（ステップＳ３０８否定）、電圧制御回路１５３は、ステップＳ３０７に戻り、負荷２０の電圧Ｖを検出する。一方、負荷２０の電圧Ｖが設定電圧Ｖ０以下である場合は（ステップＳ３０８肯定）、電圧制御回路１５３は、電力帰還スイッチ１０４、１１４をオフし（ステップＳ３０９）、昇圧スイッチ１０２、１１２をオンし（ステップＳ３１０）、本手順を終了する。このように、本手順に依れば、回路構成部品に貫通電流が流れることがなく、もって電力帰還時に回路構成部品が破損することがなく、安定に電圧を供給できる。
【００７５】
以上のように、本実施例１では、昇圧回路１０は、電源５と負荷２０とを接続する複数のチョッパ式昇圧回路１００，１１０を有し、電源５に負荷２０の電力を帰還し、電圧制御回路１５３は、複数のチョッパ式昇圧回路１００、１１０を順次連続して周期的に駆動するように制御すると共に、電圧検出回路１５２によって検出された電圧が所定の電圧より高くなった場合に、昇圧回路１０を用いて電源５に負荷２０の電力を帰還するよう制御することとしたので、回路構成部品に貫通電流が流れることがなく、もって電力帰還時に回路構成部品が破損することがなく、安定に電圧を供給できる。
【００７６】
また、チョッパ式昇圧回路１００，１１０は、一方の端子が電源５に接続され電源５の電圧が印加されるコイル１０１、１１１と、コイル１０１、１１１を地絡または開放する昇圧スイッチ１０２、１１２とを有し、コイル１０１、１１１の他方の端子に接続され、オン、オフする電力帰還スイッチ１０４、１１４を有し、電圧制御回路１５３は、電圧検出回路１５２によって検出された電圧が所定の電圧より高くなった場合に、オンである昇圧スイッチ１０２または１１２をオフし、昇圧スイッチ１０２または１１２がオフであるチョッパ式昇圧回路１００、１１０に接続された電力帰還スイッチ１０４または１１４をオンすることとしたので、回路構成部品に貫通電流が流れることがなく、もって電力帰還時に回路構成部品が破損することがなく、安定に電圧を供給できる。
【００７７】
また、電力帰還スイッチ１０４，１１４は、半導体スイッチ、または電磁式メカニカルスイッチとすることとしたので、電源装置１を構成する場合の部品の選択が容易になる。
【００７８】
また、電圧制御回路１５３は、電力帰還スイッチ１０４，１１４をＰＷＭ制御することとしたので、半導体スイッチ、ハーネス等の負荷を軽減することができる。
【実施例２】
【００７９】
本実施例２では、複数のチョッパ式昇圧回路を電力帰還回路とし、スイッチにより貫通電流の経路を遮断する場合について説明する。ここでは、（２−１）電源装置の構成、（２−２）電源装置の電力帰還手順の順番で説明する。なお、実施例１と共通な内容については説明を省略する。
【００８０】
（２−１）電源装置の構成
まず、図４を参照して、実施例２に係る電源装置１ａの構成について説明する。図４は、実施例２に係る電源装置１ａの構成を示す回路図である。同図に示すように、図１の実施例１の回路図との相違は、コイル１０１および１１１の電源側にそれぞれ接続されたスイッチ１０６および１１６である。スイッチ１０６および１１６は、電力帰還時を除いて常時オンしている。なお、スイッチ１０６および１１６は、ｎ−ＭＯＳ型ＦＥＴの半導体スイッチである。
【００８１】
本実施例２では、電圧制御回路１５３ａは、電圧検出回路１５２によって検出された電圧Ｖと所定の設定電圧Ｖ０を比較して、電圧Ｖが所定の設定電圧Ｖ０を超えている場合は、電力帰還スイッチ１０４または１１４をオンして、複数のチョッパ式昇圧回路１００または１１０を介して電源５に負荷２０の電力を帰還する。このとき、電圧制御回路１５３ａは、スイッチ１１６または１０６をオフして電力帰還回路として用いられているチョッパ式昇圧回路以外のチョッパ式昇圧回路に貫通電流が流れないように制御する。
【００８２】
（２−２）電源装置の電力帰還手順
次に、図５を参照して、図４に示す電源装置１ａの電力帰還手順について説明する。図５は、図４に示す電源装置１ａの電力帰還手順を示すフローチャートである。
【００８３】
同図に示すように、電源装置１ａを起動すると、電圧制御回路１５３ａは、スイッチ１０６、１１６をオンする（ステップＳ５０１）。そして、電圧検出回路１５２は、負荷２０の電圧Ｖを検出する（ステップＳ５０２）。さらに、電圧制御回路１５３ａは、負荷２０の電圧Ｖが設定電圧Ｖ０を越えているか否かを調べる（ステップＳ５０３）。その結果、負荷２０の電圧Ｖが設定電圧Ｖ０を越えていない場合は（ステップＳ５０３否定）、電圧制御回路１５３ａは、ステップＳ５０２に戻り、負荷２０の電圧Ｖを検出する。一方、負荷２０の電圧Ｖが設定電圧Ｖ０を越えている場合は（ステップＳ５０３肯定）、電圧制御回路１５３ａは、昇圧スイッチ１０２がオンか否かを調べる（ステップＳ５０４）。その結果、昇圧スイッチ１０２がオンでない場合は（ステップＳ５０４否定）、電圧制御回路１５３ａは、スイッチ１１６をオフし（ステップＳ５０５）、電力帰還スイッチ１０４をオンする（ステップＳ５０６）。一方、昇圧スイッチ１０２がオンである場合は（ステップＳ５０４肯定）、電圧制御回路１５３ａは、スイッチ１０６をオフし（ステップＳ５０７）、電力帰還スイッチ１１４をオンする（ステップＳ５０８）。
【００８４】
その間、電圧検出回路１５２は、負荷２０の電圧Ｖを検出している（ステップＳ５０９）。そして、電圧制御回路１５３ａは、負荷２０の電圧Ｖが設定電圧Ｖ０以下であるか否かを調べる（ステップＳ５１０）。その結果、負荷２０の電圧Ｖが設定電圧Ｖ０以下でない場合は（ステップＳ５１０否定）、電圧制御回路１５３ａは、ステップＳ５０９に戻り、負荷２０の電圧Ｖを検出する。一方、負荷２０の電圧Ｖが設定電圧Ｖ０以下である場合は（ステップＳ５１０肯定）、電圧制御回路１５３ａは、電力帰還スイッチ１０４、１１４をオフし（ステップＳ５１１）、スイッチ１０６、１１６をオンし（ステップＳ５１２）、本手順を終了する。このように、本手順に依れば、回路構成部品に貫通電流が流れることがなく、もって電力帰還時に回路構成部品が破損することがなく、安定に電圧を供給できる。
【００８５】
以上のように、本実施例２では、チョッパ式昇圧回路１００ａ、１１０ａは、電源５に接続されたスイッチ１０６、１１６と、一方の端子がスイッチ１０６、１１６に接続されスイッチ１０６、１１６を介して電源電圧が印加されるコイル１０１、１１１と、コイル１０１、１１１を地絡または開放する昇圧スイッチとを有し、コイル１０１、１１１の他方の端子に接続され、オン、オフする電力帰還スイッチ１０４、１１４を有し、電圧制御回路１５３ａは、電圧検出回路１５２によって検出された電圧が所定の電圧より高くなった場合に、昇圧スイッチ１０２または１１２がオンであるチョッパ式昇圧回路１００ａ、１１０ａのスイッチ１０６または１１６をオフし、昇圧スイッチ１０２または１１２がオフであるチョッパ式昇圧回路１００ａまたは１１０ａに接続された電力帰還スイッチ１０４または１１４をオンするように制御するようこととしたので、回路構成部品に貫通電流が流れることがなく、もって電力帰還時に回路構成部品が破損することがなく、安定に電圧を供給できる。
【００８６】
また、スイッチ１０６、１１６は、半導体スイッチ、または電磁式メカニカルスイッチとすることとしたので、電源装置１ａを構成する場合の部品の選択が容易になる。
【実施例３】
【００８７】
本実施例３では、所定のチョッパ式昇圧回路を電力帰還回路とし、スイッチにより貫通電流の経路を遮断する場合について説明する。ここでは、（３−１）電源装置の構成、（３−２）電源装置の電力帰還手順の順番で説明する。なお、実施例１と共通な内容については説明を省略する。
【００８８】
（３−１）電源装置の構成
まず、図６を参照して、実施例３に係る電源装置１ｂの構成について説明する。図６は、実施例３に係る電源装置１ｂの構成を示す回路図である。同図に示すように、図１の実施例１の回路図との相違は、チョッパ式昇圧回路１１０のコイル１１１の電源側にスイッチ１１６が接続されていることである。また、チョッパ式昇圧回路１１０の電力帰還スイッチ１１４がなくなっていることである。なお、スイッチ１１６は、電力帰還時を除いて常時オンしている。また、スイッチ１１６は、ｎ−ＭＯＳ型ＦＥＴの半導体スイッチである。
【００８９】
本実施例３では、電圧制御回路１５３ｂは、電圧検出回路１５２によって検出された電圧Ｖと所定の設定電圧Ｖ０を比較して、電圧Ｖが所定の設定電圧Ｖ０を超えている場合には、電力帰還スイッチ１０４をオンして、所定のチョッパ式昇圧回路１００を介して電源５に負荷２０の電力を帰還する。このとき、電圧制御回路１５３ｂは、同時に、スイッチ１１６をオフしてチョッパ式昇圧回路１１０に貫通電流が流れないように制御する。
【００９０】
（３−２）電源装置の電力帰還手順
次に、図７を参照して、図６に示す電源装置１ｂの電力帰還手順について説明する。図７は、図６に示す電源装置１ｂの電力帰還手順を示すフローチャートである。
【００９１】
同図に示すように、電源装置１ｂを起動すると、電圧制御回路１５３ｂは、スイッチ１１６をオンする（ステップＳ７０１）。そして、電圧検出回路１５２は、負荷２０の電圧Ｖを検出する（ステップＳ７０２）。さらに、電圧制御回路１５３ｂは、負荷２０の電圧Ｖが設定電圧Ｖ０を越えているか否かを調べる（ステップＳ７０３）。その結果、負荷２０の電圧Ｖが設定電圧Ｖ０を越えていない場合は（ステップＳ７０３否定）、電圧制御回路１５３ｂは、ステップＳ７０２に戻り、負荷２０の電圧Ｖを検出する。一方、負荷２０の電圧Ｖが設定電圧Ｖ０を越えている場合は（ステップＳ７０３肯定）、電圧制御回路１５３ｂは、スイッチ１１６をオフし（ステップＳ７０４）、電力帰還スイッチ１０４をオンする（ステップＳ７０５）。
【００９２】
その間、電圧検出回路１５２は、負荷２０の電圧Ｖを検出している（ステップＳ７０６）。そして、電圧制御回路１５３ｂは、負荷２０の電圧Ｖが設定電圧Ｖ０以下であるか否かを調べる（ステップＳ７０７）。その結果、負荷２０の電圧Ｖが設定電圧Ｖ０以下でない場合は（ステップＳ７０７否定）、電圧制御回路１５３ｂは、ステップＳ７０６に戻り、負荷２０の電圧Ｖを検出する。一方、負荷２０の電圧Ｖが設定電圧Ｖ０以下である場合は（ステップＳ７０７肯定）、電圧制御回路１５３ｂは、電力帰還スイッチ１０４をオフし（ステップＳ７０８）、スイッチ１１６をオンし（ステップＳ７０９）、本手順を終了する。このように、本手順に依れば、回路構成部品に貫通電流が流れることがなく、もって電力帰還時に回路構成部品が破損することがなく、安定に電圧を供給できる。
【００９３】
以上のように、本実施例３では、チョッパ式昇圧回路１１０は、電源５に接続されたスイッチ１１６と、一方の端子がスイッチ１１６に接続されスイッチ１１６を介して電源電圧が印加されるコイル１１１と、コイル１１１を地絡または開放する昇圧スイッチ１１２とを有し、所定のチョッパ式昇圧回路１００は、一方の端子が電源５に接続され電源５の電圧が印加されるコイル１０１と、コイル１０１を地絡または開放する昇圧スイッチ１０２とを有し、昇圧回路１０ｂは、所定のチョッパ式昇圧回路１００を含む複数のチョッパ式昇圧回路１００、１１０を有し、所定のチョッパ式昇圧回路１００のコイル１０１の他方の端子に接続され、オン、オフする電力帰還スイッチ１０４を有し、電圧制御回路１５３ｂは、電圧検出回路１５２によって検出された電圧が所定の電圧より高くなった場合に、スイッチ１１６をオフし、電力帰還スイッチ１０４をオンするよう制御することとしたので、回路構成部品に貫通電流が流れることがなく、もって電力帰還時に回路構成部品が破損することがなく、安定に電圧を供給できる。
【実施例４】
【００９４】
本実施例４では、複数のチョッパ式昇圧回路とは別に電力帰還回路を設ける場合について説明する。ここでは、（４−１）電源装置の構成、（４−２）電源装置の電力帰還手順の順番で説明する。なお、実施例１と共通な内容については説明を省略する。
【００９５】
（４−１）電源装置の構成
まず、図８を参照して、実施例４に係る電源装置１ｃの構成について説明する。図８は、実施例４に係る電源装置１ｃの構成を示す回路図である。同図に示すように、図１の実施例１の回路図との相違は、チョッパ式昇圧回路１００、１１０とは別に電力帰還スイッチ１３１を有する電力帰還回路１３が設けられたことである。また、電力帰還スイッチ１０４および１１４がなくなっていることである。なお、電力帰還スイッチ１３１は、ｎ−ＭＯＳ型ＦＥＴの半導体スイッチである。
【００９６】
本実施例４では、電圧制御回路１５３ｃは、電圧検出回路１５２によって検出された電圧Ｖと所定の設定電圧Ｖ０を比較して、電圧Ｖが所定の設定電圧Ｖ０を超えている場合には、電力帰還スイッチ１３１をオンすることにより電力帰還回路１３を介して電源５に負荷２０の電力を帰還する。
【００９７】
（４−２）電源装置の電力帰還手順
次に、図９を参照して、図８に示す電源装置１ｃの電力帰還手順について説明する。図９は、図８に示す電源装置１ｃの電力帰還手順を示すフローチャートである。
【００９８】
同図に示すように、電源装置１ｃを起動すると、電圧検出回路１５２は、負荷２０の電圧Ｖを検出する（ステップＳ９０１）。そして、電圧制御回路１５３ｃは、負荷２０の電圧Ｖが設定電圧Ｖ０を越えているか否かを調べる（ステップＳ９０２）。その結果、負荷２０の電圧Ｖが設定電圧Ｖ０を越えていない場合は（ステップＳ９０２否定）、電圧制御回路１５３ｃは、ステップＳ９０１に戻り、負荷２０の電圧Ｖを検出する。一方、負荷２０の電圧Ｖが設定電圧Ｖ０を越えている場合は（ステップＳ９０２肯定）、電圧制御回路１５３ｃは、電力帰還スイッチ１３１をオンする（ステップＳ９０３）。
【００９９】
その間、電圧検出回路１５２は、負荷２０の電圧Ｖを検出している（ステップＳ９０４）。そして、電圧制御回路１５３ｃは、負荷２０の電圧Ｖが設定電圧Ｖ０以下であるか否かを調べる（ステップＳ９０５）。その結果、負荷２０の電圧Ｖが設定電圧Ｖ０以下でない場合は（ステップＳ９０５否定）、電圧制御回路１５３ｃは、ステップＳ９０４に戻り、負荷２０の電圧Ｖを検出する。一方、負荷２０の電圧Ｖが設定電圧Ｖ０以下である場合は（ステップＳ９０５肯定）、電圧制御回路１５３ｃは、電力帰還スイッチ１３１をオフし（ステップＳ９０６）、本手順を終了する。このように、本手順に依れば、回路構成部品に貫通電流が流れることがなく、もって電力帰還時に回路構成部品が破損することがなく、安定に電圧を供給できる。
【０１００】
以上のように、本実施例４では、電力帰還回路１３は、電源５と負荷２０とに接続され、オン、オフする電力帰還スイッチ１３１を有し、電圧制御回路１５３ｃは、電圧検出回路１５２によって検出された電圧が所定の電圧より高くなった場合に、電力帰還スイッチ１３１をオンするよう制御することとしたので、回路構成部品に貫通電流が流れることがなく、もって電力帰還時に回路構成部品が破損することがなく、安定に電圧を供給できる。
【実施例５】
【０１０１】
本実施例５では、複数のチョッパ式昇圧回路をそれぞれ別な電源で駆動する場合について説明する。ここでは、（５−１）電源装置の構成、（５−２）電源装置の電力帰還手順の順番で説明する。なお、実施例１と共通な内容については説明を省略する。
【０１０２】
（５−１）電源装置の構成
まず、図１０を参照して、実施例５に係る電源装置１ｄの構成について説明する。図１０は、実施例５に係る電源装置１ｄの構成を示す回路図である。同図に示すように、図１の実施例１の回路図との相違は、チョッパ式昇圧回路１００、１１０が別々の電源５ａ、５ｂに接続されていることである。
【０１０３】
本実施例５では、電圧制御回路１５３ｄは、電圧検出回路１５２によって検出された電圧Ｖと所定の設定電圧Ｖ０を比較して、電圧Ｖが所定の設定電圧Ｖ０を超えている場合には、電力帰還スイッチ１０４または１１４をオンすることによりチョッパ式昇圧回路１００または１１０を介して電源５ａまたは５ｂに負荷２０の電力を帰還する。
【０１０４】
（５−２）電源装置の電力帰還手順
次に、図１１を参照して、図１０に示す電源装置１ｄの電力帰還手順について説明する。図１１は、図１０に示す電源装置１ｄの電力帰還手順を示すフローチャートである。
【０１０５】
同図に示すように、電源装置１ｄを起動すると、電圧検出回路１５２は、負荷２０の電圧Ｖを検出する（ステップＳ１１０１）。そして、電圧制御回路１５３ｄは、負荷２０の電圧Ｖが設定電圧Ｖ０を越えているか否かを調べる（ステップＳ１１０２）。その結果、負荷２０の電圧Ｖが設定電圧Ｖ０を越えていない場合は（ステップＳ１１０２否定）、電圧制御回路１５３ｄは、ステップＳ１１０１に戻り、負荷２０の電圧Ｖを検出する。一方、負荷２０の電圧Ｖが設定電圧Ｖ０を越えている場合は（ステップＳ１１０２肯定）、電圧制御回路１５３ｄは、昇圧スイッチ１０２がオンか否かを調べる（ステップＳ１１０３）。その結果、スイッチ１０２がオンでない場合は（ステップＳ１１０３否定）、電圧制御回路１５３ｄは、電力帰還スイッチ１０４をオンする（ステップＳ１１０４）。一方、昇圧スイッチ１０２がオンである場合は（ステップＳ１１０３肯定）、電圧制御回路１５３ｄは、電力帰還スイッチ１１４をオンする（ステップＳ１１０５）。
【０１０６】
その間、電圧検出回路１５２は、負荷２０の電圧Ｖを検出している（ステップＳ１１０６）。そして、電圧制御回路１５３ｄは、負荷２０の電圧Ｖが設定電圧Ｖ０以下であるか否かを調べる（ステップＳ１１０７）。その結果、負荷２０の電圧Ｖが設定電圧Ｖ０以下でない場合は（ステップＳ１１０７否定）、電圧制御回路１５３ｄは、ステップＳ１１０６に戻り、負荷２０の電圧Ｖを検出する。一方、負荷２０の電圧Ｖが設定電圧Ｖ０以下である場合は（ステップＳ１１０７肯定）、電圧制御回路１５３ｄは、電力帰還スイッチ１０４、１１４をオフし（ステップＳ１１０８）、本手順を終了する。このように、本手順に依れば、回路構成部品に貫通電流が流れることがなく、もって電力帰還時に回路構成部品が破損することがなく、安定に電圧を供給できる。
【０１０７】
以上のように、本実施例５では、チョッパ式昇圧回路１００、１１０は、一方の端子が電源５に接続され電源５の電圧が印加されるコイル１０１、１１１と、コイル１０１、１１１を地絡または開放する昇圧スイッチ１０２、１１２とを有し、昇圧回路１０ｄは、複数の電源５ａ、５ｂのそれぞれと負荷２０とに接続された複数のチョッパ式昇圧回路１００、１１０を有し、コイル１０１、１１１の他方の端子に接続され、オン、オフする電力帰還スイッチ１０４、１１４を有し、電圧制御回路１５３ｄは、電圧検出回路１５２によって検出された電圧が所定の電圧より高くなった場合に、昇圧スイッチ１０２または１１２がオフであるチョッパ式昇圧回路１００または１１０接続された電力帰還スイッチ１０４または１１４をオンするよう制御することとしたので、回路構成部品に貫通電流が流れることがなく、もって電力帰還時に回路構成部品が破損することがなく、安定に電圧を供給できる。
【実施例６】
【０１０８】
本実施例６では、所定のチョッパ式昇圧回路を電力帰還回路とし、１つのスイッチにより貫通電流の経路をまとめて遮断する場合について説明する。ここでは、（６−１）電源装置の構成、（６−２）電源装置の電力帰還手順の順番で説明する。なお、実施例１と共通な内容については説明を省略する。
【０１０９】
（６−１）電源装置の構成
まず、図１２を参照して、実施例６に係る電源装置１ｅの構成について説明する。図１２は、実施例６に係る電源装置１ｅの構成を示す回路図である。同図に示すように、図１の実施例１の回路図との相違は、チョッパ式昇圧回路１００とチョッパ式昇圧回路１１０、１２８とがスイッチ１４０を介して接続されていることである。スイッチ１４０は、電力帰還時を除いて常時オンしている。なお、スイッチ１４０は、ｎ−ＭＯＳ型ＦＥＴの半導体スイッチである。
【０１１０】
本実施例６では、電圧制御回路１５３ｅは、電圧検出回路１５２によって検出された電圧Ｖと所定の設定電圧Ｖ０を比較して、電圧Ｖが所定の設定電圧Ｖ０を超えている場合には、電力帰還スイッチ１０４をオンすることによりチョッパ式昇圧回路１００を電力帰還回路とし、同時に、スイッチ１４０をオフすることによりチョッパ式昇圧回路１１０、１２８に貫通電流が流れないように制御する。
【０１１１】
（６−２）電源装置の電力帰還手順
次に、図１３を参照して、図１２に示す電源装置１ｅの電力帰還手順について説明する。図１３は、図１２に示す電源装置１ｅの電力帰還手順を示すフローチャートである。
【０１１２】
同図に示すように、電源装置１ｅを起動すると、電圧制御回路１５３ｅは、スイッチ１４０をオンする（ステップＳ１３０１）。そして、電圧検出回路１５２は、負荷２０の電圧Ｖを検出する（ステップＳ１３０２）。さらに、電圧制御回路１５３ｅは、負荷２０の電圧Ｖが設定電圧Ｖ０を越えているか否かを調べる（ステップＳ１３０３）。その結果、負荷２０の電圧Ｖが設定電圧Ｖ０を越えていない場合は（ステップＳ１３０３否定）、電圧制御回路１５３ｅは、ステップＳ１３０２に戻り、負荷２０の電圧Ｖを検出する。一方、負荷２０の電圧Ｖが設定電圧Ｖ０を越えている場合は（ステップＳ１３０３肯定）、電圧制御回路１５３ｅは、スイッチ１４０をオフし（ステップＳ１３０４）、電力帰還スイッチ１０４をオンする（ステップＳ１３０５）。
【０１１３】
その間、電圧検出回路１５２は、負荷２０の電圧Ｖを検出している（ステップＳ１３０６）。そして、電圧制御回路１５３ｅは、負荷２０の電圧Ｖが設定電圧Ｖ０以下であるか否かを調べる（ステップＳ１３０７）。その結果、負荷２０の電圧Ｖが設定電圧Ｖ０以下でない場合は（ステップＳ１３０７否定）、電圧制御回路１５３ｅは、ステップＳ１３０６に戻り、負荷２０の電圧Ｖを検出する。一方、負荷２０の電圧Ｖが設定電圧Ｖ０以下である場合は（ステップＳ１３０７肯定）、電圧制御回路１５３ｅは、電力帰還スイッチ１０４をオフし（ステップＳ１３０８）、スイッチ１４０をオンして（ステップＳ１３０９）、本手順を終了する。このように、本手順に依れば、回路構成部品に貫通電流が流れることがなく、もって電力帰還時に回路構成部品が破損することがなく、安定に電圧を供給できる。
【０１１４】
以上のように、本実施例６では、チョッパ式昇圧回路１００、１１０、１２８は、一方の端子が電源５に接続され電源５の電圧が印加されるコイル１０１、１１１、１２１と、コイル１０１、１１１、１２１を地絡または開放する昇圧スイッチ１０２、１１２、１２２とを有し、昇圧回路１０ｅは、電源５と負荷２０とに接続された所定のチョッパ式昇圧回路１００と電源５に接続されたスイッチ１４０と、スイッチ１４０を介して電源５と負荷２０とに接続された複数のチョッパ式昇圧回路１１０、１２８とを有し、所定のチョッパ式昇圧回路１００のコイル１０１の他方の端子に接続され、オン、オフする電力帰還スイッチ１０４を有し、電圧制御回路１５３ｅは、電圧検出回路１５２によって検出された電圧が所定の電圧より高くなった場合に、スイッチ１４０をオフし、電力帰還スイッチ１０４をオンするように制御することとしたので、回路構成部品に貫通電流が流れることがなく、もって電力帰還時に回路構成部品が破損することがなく、安定に電圧を供給できる。
【実施例７】
【０１１５】
本実施例７では、複数のチャージポンプ回路とは別に電力帰還回路を設ける場合について説明する。ここでは、（７−１）電源装置の構成、（７−２）電源装置の電力帰還手順の順番で説明する。なお、実施例１と共通な内容については説明を省略する。
【０１１６】
（７−１）電源装置の構成
まず、図１４を参照して、実施例７に係る電源装置１ｆの構成について説明する。図１４は、実施例７に係る電源装置１ｆの構成を示す回路図である。
【０１１７】
同図に示すように、図１の実施例１の回路図との相違は、昇圧回路１０ｆ、および電力帰還スイッチ１３１を有する電力帰還回路１３である。昇圧回路１０ｆは、コンデンサ１６０、ダイオード１７１〜１７４、チャージポンプ回路１８１、１８２、１８３、コンデンサ１２０を有する。コンデンサ１６０は、電源５の電圧を保持するコンデンサである。また、ダイオード１７１〜１７４は、整流ダイオードである。
【０１１８】
チャージポンプ回路１８１は、コンデンサ１６１、チャージポンプ電源１８１１、ｎチャンネル接合型電界効果トランジスタ（以下においては、「ｎ−接合型ＦＥＴ」という。）１８１２、Ｐチャンネル接合型電界効果トランジスタ（以下においては、「ｐ−接合型ＦＥＴ」という。）１８１３を有し、チャージポンプ回路１８２は、コンデンサ１６２、チャージポンプ電源１８２１、ｎ−接合型ＦＥＴ１８２２、ｐ−接合型ＦＥＴ１８２３を有し、チャージポンプ回路１８３、コンデンサ１６３、チャージポンプ電源１８３１、ｎ−接合型ＦＥＴ１８３２、ｐ−接合型ＦＥＴ１８３３を有する。また、コンデンサ１２０は、平滑用コンデンサである。なお、チャージポンプ回路１８１〜１８３は、接合型ＦＥＴの替わりにバイポーラトランジスタを用いて構成することができる。
【０１１９】
例えば、チャージポンプ回路１８１は、電圧制御回路１５３ｆからの制御信号のオン／オフに応じて、制御信号がオンのときはｎ−接合型ＦＥＴ１８１２がスイッチとして動作し、制御信号がオフのときはｐ−接合型ＦＥＴ１８１３がスイッチとして動作する。したがって、電圧制御回路１５３ｆが制御信号をオフにすると、ｐ−接合型ＦＥＴ１８１３がスイッチとして動作して、コンデンサ１６１の接地側電位が下がり、コンデンサ１６１が電荷を充電する。そして、電圧制御回路１５３ｆが制御信号をオンにすると、ｎ−接合型ＦＥＴ１８１２がスイッチとして動作して、電荷を保持した状態でコンデンサ１６１の接地側電位がチャージポンプ電源１８１１の電位だけ上昇するので、ダイオード１７１のアノード端子の電位が上昇する。このように、電圧制御回路１５３ｆは、チャージポンプ回路１８１、１８２、１８３を図１４の左から右に時間をずらして動作させ、整流ダイオード１７１、１７２、１７３の順番にアノード側の電圧を上昇させ、最終的に所定の設定電圧Ｖ０を負荷２０に印加する。
【０１２０】
また、電圧制御回路１５３ｆは、電圧検出回路１５２によって検出された電圧が所定の設定電圧Ｖ０を越えて高くなった場合に、全段のチャージポンプ回路１８１〜１８３のコンデンサ１６１〜１６３の他方の端子を地絡させて、コンデンサ１２０が過電圧破壊を起こさないように電圧を下げるように制御する。
【０１２１】
本実施例７では、電圧制御回路１５３ｆは、電圧検出回路１５２によって検出された電圧Ｖと所定の設定電圧Ｖ０を比較して、電圧Ｖが所定の設定電圧Ｖ０を超えている場合には、電力帰還スイッチ１３１をオンすることにより電力帰還回路１３を介して電源５に負荷２０の電力を帰還する。
【０１２２】
（７−２）電源装置の電力帰還手順
次に、図１５を参照して、図１４に示す電源装置１ｆの電力帰還手順について説明する。図１５は、図１４に示す電源装置１ｆの電力帰還手順を示すフローチャートである。
【０１２３】
同図に示すように、電源装置１ｆを起動すると、電圧検出回路１５２は、負荷２０の電圧Ｖを検出する（ステップＳ１６０１）。そして、電圧制御回路１５３ｆは、負荷２０の電圧Ｖが設定電圧Ｖ０を越えているか否かを調べる（ステップＳ１６０２）。その結果、負荷２０の電圧Ｖが設定電圧Ｖ０を越えていない場合は（ステップＳ１６０２否定）、電圧制御回路１５３ｆは、ステップＳ１６０１に戻り、負荷２０の電圧Ｖを検出する。一方、負荷２０の電圧Ｖが設定電圧Ｖ０を越えている場合は（ステップＳ１６０２肯定）、電圧制御回路１５３ｆは、電力帰還スイッチ１３１をオンする（ステップＳ１６０３）。
【０１２４】
その間、電圧検出回路１５２は、負荷２０の電圧Ｖを検出している（ステップＳ１６０４）。そして、電圧制御回路１５３ｆは、負荷２０の電圧Ｖが設定電圧Ｖ０以下であるか否かを調べる（ステップＳ１６０５）。その結果、負荷２０の電圧Ｖが設定電圧Ｖ０以下でない場合は（ステップＳ１６０５否定）、電圧制御回路１５３ｆは、ステップＳ１６０４に戻り、負荷２０の電圧Ｖを検出する。一方、負荷２０の電圧Ｖが設定電圧Ｖ０以下である場合は（ステップＳ１６０５肯定）、電圧制御回路１５３ｆは、電力帰還スイッチ１３１をオフして（ステップＳ１６０６）、本手順を終了する。このように、本手順に依れば、平滑用コンデンサが過電圧破壊を起こすことなく、もって電力帰還時に回路構成部品が破損することがなく、安定に電圧を供給できる。
【０１２５】
以上のように、本実施例７では、チャージポンプ回路１８１、１８２，１８３は、一方の端子を電源５と接続されたコンデンサ１６１、１６２、１６３と、コンデンサ１６１、１６２、１６３の他方の端子を昇圧するチャージポンプ電源１８１１、１８２１、１８３１と、コンデンサ１６１、１６２、１６３の他方の端子をチャージポンプ電源１８１１、１８２１、１８３１に接続、または地絡する切替スイッチ１８１２、１８１３、１８２２、１８２３、１８３２、１８３３とを有し、電力帰還回路１３は、電源５と負荷２０とに接続され、オン、オフする電力帰還スイッチ１３１を有し、電圧制御回路１５３ｆは、電圧検出回路１５２によって検出された電圧が所定の電圧より高くなった場合に、電力帰還スイッチ１３１をオンするよう制御することとしたので、平滑用コンデンサが過電圧破壊を起こすことなく、もって電力帰還時に回路構成部品が破損することがなく、安定に電圧を供給できる。
【０１２６】
また、電圧制御回路１５３ｆは、帰還スイッチ１３１をＰＷＭ制御することとしたので、徐々に負荷２０の電力を帰還させるよう制御し、もって電力帰還時に回路構成部品が破損することがなく、安定に電圧を供給できる。
【実施例８】
【０１２７】
本実施例８は、複数のチャージポンプ回路を電力帰還回路とする場合について説明する。ここでは、（８−１）電源装置の構成、（８−２）電源装置の電力帰還手順の順番で説明する。なお、実施例７と共通な内容については説明を省略する。
【０１２８】
（８−１）電源装置の構成
まず、図１６を参照して、実施例８に係る電源装置１ｇの構成について説明する。図１６は、実施例８に係る電源装置１ｇの構成を示す回路図である。
【０１２９】
同図に示すように、図１４の実施例７の回路図との相違は、電力帰還スイッチ１９１〜１９４である。電力帰還スイッチ１９１〜１９４が、昇圧回路１０ｇのダイオード１７１〜１７４に並行に接続されている。なお、電力帰還スイッチ１９１〜１９４は、ｎ−ＭＯＳ型ＦＥＴの半導体スイッチである。
【０１３０】
本実施例８では、電圧制御回路１５３ｇは、電圧検出回路１５２によって検出された電圧Ｖと所定の設定電圧Ｖ０を比較して、電圧Ｖが所定の設定電圧Ｖ０を超えている場合には、電力帰還スイッチ１９１〜１９４を同時にオンすることにより昇圧回路１０ｇを介して電源５に負荷２０の電力を帰還する。
【０１３１】
（８−２）電源装置の電力帰還手順
次に、図１７を参照して、図１６に示す電源装置１ｇの電力帰還手順について説明する。図１７は、図１６に示す電源装置１ｇの電力帰還手順を示すフローチャートである。
【０１３２】
同図に示すように、電源装置１ｇを起動すると、電圧制御回路１５３ｇは、スイッチ１９１〜１９４をオフする（ステップＳ１８０１）。そして、電圧検出回路１５２は、負荷２０の電圧Ｖを検出する（ステップＳ１８０２）。さらに、電圧制御回路１５３ｇは、負荷２０の電圧Ｖが設定電圧Ｖ０を越えているか否かを調べる（ステップＳ１８０３）。その結果、負荷２０の電圧Ｖが設定電圧Ｖ０を越えていない場合は（ステップＳ１８０３否定）、電圧制御回路１５３ｇは、ステップＳ１８０２に戻り、負荷２０の電圧Ｖを検出する。一方、負荷２０の電圧Ｖが設定電圧Ｖ０を越えている場合は（ステップＳ１８０３肯定）、電圧制御回路１５３ｇは、電力帰還スイッチ１９１〜１９４を同時にオンする（ステップＳ１８０４）。
【０１３３】
その間、電圧検出回路１５２は、負荷２０の電圧Ｖを検出している（ステップＳ１８０５）。そして、電圧制御回路１５３ｇは、負荷２０の電圧Ｖが設定電圧Ｖ０以下であるか否かを調べる（ステップＳ１８０６）。その結果、負荷２０の電圧Ｖが設定電圧Ｖ０以下でない場合は（ステップＳ１８０６否定）、電圧制御回路１５３ｇは、ステップＳ１８０５に戻り、負荷２０の電圧Ｖを検出する。一方、負荷２０の電圧Ｖが設定電圧Ｖ０以下である場合は（ステップＳ１８０６肯定）、電圧制御回路１５３ｇは、電力帰還スイッチ１９１〜１９４を同時にオフして（ステップＳ１８０７）、本手順を終了する。このように、本手順に依れば、平滑用コンデンサが過電圧破壊を起こすことなく、もって電力帰還時に回路構成部品が破損することがなく、安定に電圧を供給できる。
【０１３４】
以上のように、本実施例８では、チャージポンプ回路１８１、１８２，１８３は、一方の端子を電源５により印加されたコンデンサ１６１、１６２、１６３と、コンデンサ１６１、１６２、１６３の他方の端子を昇圧するチャージポンプ電源１８１１、１８２１、１８３１と、コンデンサ１６１、１６２、１６３の他方の端子をチャージポンプ電源１８１１、１８２１、１８３１に接続し、または地絡する切替スイッチ１８１２、１８１３、１８２２、１８２３、１８３２、１８３３とを有し、コンデンサ１６１、１６２、１６３の一方の端子と電源側とを接続し、オン、オフする電力帰還スイッチ１９１〜１９４を有し、電圧制御回路１５３ｇは、電圧検出回路１５２によって検出された電圧が所定の電圧より高くなった場合に、電力帰還スイッチ１９１から１９４をオンするよう制御することとしたので、平滑用コンデンサが過電圧破壊を起こすことなく、もって電力帰還時に回路構成部品が破損することがなく、安定に電圧を供給できる。
【０１３５】
また、電圧制御回路１５３ｇは、電圧検出回路１５２によって検出された電圧が所定の電圧より高くなった場合に、全段のチャージポンプ回路１８１〜１８３のコンデンサ１６１〜１６３の他方の端子を地絡させることとしたので、平滑用コンデンサの電圧を下げることができ、もって電力帰還時に回路構成部品が破損することがなく、安定に電圧を供給できる。
【０１３６】
また、電圧制御回路１５３ｇは、切替スイッチ１８１２、１８１３、１８２２、１８２３、１８３２、１８３３をＰＷＭ駆動することとしたので、徐々に負荷の電力を帰還させるよう制御し、半導体スイッチ、ハーネス等の負荷を軽減することができる。
【０１３７】
さて、これまで本発明の実施の形態について説明したが、本発明は上述した実施例以外にも、上記特許請求の範囲に記載した技術的思想の範囲内において種々の異なる実施例にて実施されてもよいものである。
【０１３８】
例えば、本実施例１〜８では、電圧検出手段および電圧制御手段が電圧検出回路および電圧制御回路などハードウエアによって構成される場合について説明したが、本発明はこれだけに限定されるものではなく、電圧検出手段および電圧制御手段がソフトウエアによって構成される場合に適用することができる。
【０１３９】
また、本実施例１〜８では、電源５、チャージポンプ電源１８１１、１８２１、１８３１が別個の電源である場合について説明したが、本発明はこれだけに限定されるものではなく、電源５、チャージポンプ電源１８１１、１８２１、１８３１が共通の電源で構成される場合に適用することができる。
【０１４０】
また、本実施例１〜８では、電力帰還スイッチおよびスイッチがｎ−ＭＯＳ型ＦＥＴである場合について説明したが、本発明はこれだけに限定されるものではなく、電力帰還スイッチおよびスイッチが電磁式メカニカルスイッチ、例えば、電磁式リレーである場合に適用することができる。
【０１４１】
また、本実施例２または３では、スイッチ１１６または１１７がコイル１０１または１１１の電源側に接続した場合について説明したが、本発明はこれに限定されるものではなく、スイッチ１１６または１１７がコイル１０１または１１１の出力側に接続する場合に適用することができる。
【０１４２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１４３】
また、図示した各装置の各構成要素は機能概念的なものであり、必ずしも物理的に図示の如く構成されていることを要しない。すなわち、各装置（電源装置）の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１４４】
なお、本実施例で説明した電圧制御方法は、あらかじめ用意されたプログラムをパーソナル・コンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１４５】
以上のように、本発明に係る電源装置は、電力帰還時に回路構成部品が破損することがなく、安定に電圧を供給できる電源装置に適している。
【図面の簡単な説明】
【０１４６】
【図１】実施例１に係る電源装置の構成を示す回路図である。
【図２】図１に示す電源装置の昇圧スイッチおよび電力帰還スイッチの動作を示すタイミングチャートである。
【図３】図１に示す電源装置の電力帰還手順を示すフローチャートである。
【図４】実施例２に係る電源装置の構成を示す回路図である。
【図５】図４に示す電源装置の電力帰還手順を示すフローチャートである。
【図６】実施例３に係る電源装置の構成を示す回路図である。
【図７】図６に示す電源装置の電力帰還手順を示すフローチャートである。
【図８】実施例４に係る電源装置の構成を示す回路図である。
【図９】図８に示す電源装置の電力帰還手順を示すフローチャートである。
【図１０】実施例５に係る電源装置の構成を示す回路図である。
【図１１】図１０に示す電源装置の電力帰還手順を示すフローチャートである。
【図１２】実施例６に係る電源装置の構成を示す回路図である。
【図１３】図１２に示す電源装置の電力帰還手順を示すフローチャートである。
【図１４】実施例７に係る電源装置の構成を示す回路図である。
【図１５】図１４に示す電源装置の電力帰還手順を示すフローチャートである。
【図１６】実施例８に係る電源装置の構成を示す回路図である。
【図１７】図１６に示す電源装置の電力帰還手順を示すフローチャートである。
【図１８】複数のチョッパ式昇圧回路からなる昇圧回路を用いた電源装置の回路図である。
【図１９】複数のチョッパ式昇圧回路からなる昇圧回路のｎ−ＭＯＳ型ＦＥＴのスイッチのタイミングチャートである。
【符号の説明】
【０１４７】
１、１ａ、１ｂ、１ｃ、１ｄ，１ｅ、１ｆ、１ｇ、１ｈ    電源装置
５、５ａ、５ｂ    電源
１０、１０ａ、１０ｂ、１０ｃ、１０ｄ、１０ｅ、１０ｆ、１０ｇ、１０ｈ    昇圧回路
１３    電力帰還回路
１５、１５ａ、１５ｂ、１５ｃ、１５ｄ，１５ｅ、１５ｆ、１５ｇ    駆動回路
２０    負荷
１００、１００ａ、１１０、１１０ａ、１２８    チョッパ式昇圧回路
１０１、１１１、１２１    コイル
１０２、１１２、１２２    昇圧スイッチ
１０３、１０５、１１３、１１５、１２３、１２５、１３２、１７１、１７２、１７３、１７４    ダイオードまたは整流ダイオード
１０４、１１４、１３１、１９１、１９２、１９３、１９４    電力帰還スイッチ
１０６、１１６    スイッチ
１２０、１６０、１６１、１６２、１６３    コンデンサ
１５２    電圧検出回路
１５３、１５３ａ、１５３ｂ、１５３ｃ、１５３ｄ、１５３ｅ、１５３ｆ、１５３ｇ    電圧制御回路
１８１、１８２、１８３    チャージポンプ回路
１８１１、１８２１、１８３１    チャージポンプ電源
１８１２、１８２２、１８３２    ｎー接合型ＦＥＴ
１８１３、１８２３，１８３３    ｐ−接合型ＦＥＴ
【図１】
2005328625.tif 000003
【図２】
2005328625.tif 000004
【図３】
2005328625.tif 000005
【図４】
2005328625.tif 000006
【図５】
2005328625.tif 000007
【図６】
2005328625.tif 000008
【図７】
2005328625.tif 000009
【図８】
2005328625.tif 000010
【図９】
2005328625.tif 000011
【図１０】
2005328625.tif 000012
【図１１】
2005328625.tif 000013
【図１２】
2005328625.tif 000014
【図１３】
2005328625.tif 000015
【図１４】
2005328625.tif 000016
【図１５】
2005328625.tif 000017
【図１６】
2005328625.tif 000018
【図１７】
2005328625.tif 000019
【図１８】
2005328625.tif 000020
【図１９】
2005328625.tif 000021